【手続補正書】
【提出日】平成30年1月11日(2018.1.11)
【手続補正１】
【補正対象書類名】特許請求の範囲
【補正対象項目名】全文
【補正方法】変更
【補正の内容】
【特許請求の範囲】
【請求項１】
ビデオデータをコーディングする方法であって、
前記ビデオデータの現在のピクセルが、走査順序に対して前記現在のピクセルの直交方向に位置する隣接ピクセルのパレットインデックスを使用するｃｏｐｙ  ａｂｏｖｅモードでパレットモードコーディングされることが可能ではないと、決定することと、
前記現在のピクセルが前記ｃｏｐｙ  ａｂｏｖｅモードでパレットモードコーディングされることが可能ではないと決定したことに応答して、前記現在のピクセルの対角方向に位置する前記ビデオデータのピクセルのためのパレットインデックスに基づいて、前記現在のピクセルのためのパレットのパレットインデックスを決定することと、
前記決定されたパレットインデックスに基づいて、前記現在のピクセルをパレットモードコーディングすることと
を備える、方法。
【請求項２】
前記走査順序が水平方向の走査を備え、前記現在のピクセルが前記ｃｏｐｙ  ａｂｏｖｅモードでパレットモードコーディングされることが可能ではないと決定することが、前記現在のピクセルの上のピクセルと、同じパレットインデックスを有する前記現在のピクセルに水平方向に隣接するピクセルとに基づいて、前記現在のピクセルが前記ｃｏｐｙ  ａｂｏｖｅモードでパレットモードコーディングされることが可能ではないと決定することを備える、請求項１に記載の方法。
【請求項３】
前記走査順序が垂直方向の走査を備え、前記現在のピクセルが前記ｃｏｐｙ  ａｂｏｖｅモードでパレットモードコーディングされることが可能ではないと決定することが、前記現在のピクセルの左のピクセルと、同じパレットインデックスを有する前記現在のピクセルに垂直方向に隣接するピクセルとに基づいて、前記現在のピクセルが前記ｃｏｐｙ  ａｂｏｖｅモードでパレットモードコーディングされることが可能ではないと決定することを備える、請求項１に記載の方法。
【請求項４】
前記現在のピクセルのランのそれぞれのピクセルの対角方向に位置するピクセルのそれぞれのパレットインデックスに基づいて、前記現在のピクセルのピクセルの前記ランのための前記パレットのパレットインデックスを決定することをさらに備える、請求項１に記載の方法。
【請求項５】
前記現在のピクセルのランのそれぞれのピクセルの対角方向に位置しないピクセルのそれぞれのパレットインデックスに基づいて、前記現在のピクセルのピクセルの前記ランのための前記パレットのパレットインデックスを決定することをさらに備える、請求項１に記載の方法。
【請求項６】
前記現在のピクセルの対角方向に位置する前記ピクセルが、前記走査順序が水平方向に左から右であることに基づいて前記現在のピクセルの右上に位置するピクセルを備え、前記現在のピクセルの対角方向に位置する前記ピクセルが、前記走査順序が水平方向に右から左であることに基づいて前記現在のピクセルの左上に位置するピクセルを備え、前記現在のピクセルの対角方向に位置する前記ピクセルが、前記走査順序が垂直方向に下から上であることに基づいて左下部に位置するピクセルを備え、または、前記現在のピクセルの対角方向に位置する前記ピクセルが、前記走査順序が垂直方向に上から下であることに基づいて左上部に位置するピクセルを備える、請求項１に記載の方法。
【請求項７】
前記現在のピクセルが前記ｃｏｐｙ  ａｂｏｖｅモードでパレットモードコーディングされるべきであることを示すシンタックス要素を受信することをさらに備え、
前記現在のピクセルの対角方向に位置する前記ピクセルのための前記パレットインデックスに基づいて前記現在のピクセルのための前記パレットの前記パレットインデックスを決定することが、前記現在のピクセルが前記ｃｏｐｙ  ａｂｏｖｅモードでパレットモードコーディングされることが可能ではないと決定したことに応答して、および、前記現在のピクセルが前記ｃｏｐｙ  ａｂｏｖｅモードでパレットモードコーディングされるべきであることを示す前記シンタックス要素を受信したことに応答して、前記現在のピクセルの対角方向に位置する前記ピクセルのための前記パレットインデックスに基づいて、前記現在のピクセルのための前記パレットの前記パレットインデックスを決定することを備え、
前記現在のピクセルをパレットモードコーディングすることが、前記決定されたパレットインデックスに基づいて、前記現在のピクセルをパレットモード復号することを備える、請求項１に記載の方法。
【請求項８】
前記現在のピクセルが前記ｃｏｐｙ  ａｂｏｖｅモードでパレットモードコーディングされることを示すシンタックス要素をシグナリングすることをさらに備え、
前記現在のピクセルをパレットモードコーディングすることが、前記決定されたパレットインデックスに基づいて、前記現在のピクセルをパレットモード符号化することを備える、請求項１に記載の方法。
【請求項９】
前記現在のピクセルが第１のピクセルを備え、前記方法は、
第２のピクセルが前記ｃｏｐｙ  ａｂｏｖｅモードでパレットモードコーディングされることが可能ではないと決定することと、
前記走査順序に対して前記第２のピクセルの直交方向に位置する隣接ピクセル、および前記走査順序に対して前記第２のピクセルに沿って位置する隣接ピクセルと同じパレットインデックスを、前記第２のピクセルの対角方向に位置するピクセルのパレットインデックスが有すると決定することと、
前記第２のピクセルが前記ｃｏｐｙ  ａｂｏｖｅモードでパレットモードコーディングされることが可能ではないと、および、前記走査順序に対して前記第２のピクセルの直交方向に位置する前記隣接ピクセル、および前記走査順序に対して前記第２のピクセルに沿って位置する前記隣接ピクセル、と同じパレットインデックスを、前記第２のピクセルの対角方向に位置する前記ピクセルの前記パレットインデックスが有すると、決定したことに応答して、デフォルトのパレットインデックスに基づいて、前記第２のピクセルのための前記パレットのパレットインデックスを決定することと、
前記第２のピクセルのための前記決定されたパレットインデックスに基づいてパレット値を決定することと、
前記決定されたパレット値に基づいて前記第２のピクセルをパレットモードコーディングすることと
をさらに備える、請求項１に記載の方法。
【請求項１０】
前記現在のピクセルが第１のピクセルを備え、前記方法は、
第２のピクセルが前記ｃｏｐｙ  ａｂｏｖｅモードでパレットモードコーディングされることが可能ではないと決定することと、
前記第２のピクセルがブロック境界に位置すると決定することと、
前記第２のピクセルが、前記ｃｏｐｙ  ａｂｏｖｅモードでパレットモードコーディングされることが可能ではなく、前記ブロック境界に位置すると決定したことに応答して、デフォルトのパレットインデックスに基づいて前記第２のピクセルのための前記パレットのパレットインデックスを決定することと、
前記第２のピクセルのための前記決定されたパレットインデックスに基づいてパレット値を決定することと、
前記決定されたパレット値に基づいて前記第２のピクセルをパレットモードコーディングすることと
をさらに備える、請求項１に記載の方法。
【請求項１１】
前記現在のピクセルのための前記決定されたパレットインデックスに基づいて前記パレットのパレット値を決定することをさらに備え、
前記現在のピクセルをパレットモードコーディングすることが、前記決定されたパレット値に基づいて前記現在のピクセルをパレットモードコーディングすることを備える、請求項１に記載の方法。
【請求項１２】
ビデオデータをコーディングするためのデバイスであって、
パレットのパレット値を記憶するように構成されるメモリと、
ビデオコーダとを備え、前記ビデオコーダが、
前記ビデオデータの現在のピクセルが、走査順序に対して前記現在のピクセルの直交方向に位置する隣接ピクセルのパレットインデックスを使用するｃｏｐｙ  ａｂｏｖｅモードでパレットモードコーディングされることが可能ではないと、決定し、
前記現在のピクセルが前記ｃｏｐｙ  ａｂｏｖｅモードでパレットモードコーディングされることが可能ではないと決定したことに応答して、前記現在のピクセルの対角方向に位置する前記ビデオデータのピクセルのためのパレットインデックスに基づいて、前記現在のピクセルのための前記パレットのパレットインデックスを決定し、
前記決定されたパレットインデックスに基づいて、前記現在のピクセルをパレットモードコーディングする
ように構成される、デバイス。
【請求項１３】
前記走査順序が水平方向の走査を備え、前記現在のピクセルが前記ｃｏｐｙ  ａｂｏｖｅモードでパレットモードコーディングされることが可能ではないと決定するために、前記ビデオコーダが、前記現在のピクセルの上のピクセルと、同じパレットインデックスを有する前記現在のピクセルに水平方向に隣接するピクセルとに基づいて、前記現在のピクセルが前記ｃｏｐｙ  ａｂｏｖｅモードでパレットモードコーディングされることが可能ではないと決定するように構成される、請求項１２に記載のデバイス。
【請求項１４】
前記走査順序が垂直方向の走査を備え、前記現在のピクセルが前記ｃｏｐｙ  ａｂｏｖｅモードでパレットモードコーディングされることが可能ではないと決定するために、前記ビデオコーダが、前記現在のピクセルの左のピクセルと、同じパレットインデックスを有する前記現在のピクセルに垂直方向に隣接するピクセルとに基づいて、前記現在のピクセルが前記ｃｏｐｙ  ａｂｏｖｅモードでパレットモードコーディングされることが可能ではないと決定するように構成される、請求項１２に記載のデバイス。
【請求項１５】
前記ビデオコーダが、
前記現在のピクセルのランのそれぞれのピクセルの対角方向に位置するピクセルのそれぞれのパレットインデックスに基づいて、前記現在のピクセルのピクセルの前記ランのための前記パレットのパレットインデックスを決定するように構成される、請求項１２に記載のデバイス。
【請求項１６】
前記ビデオコーダが、
前記現在のピクセルのランのそれぞれのピクセルの対角方向に位置しないピクセルのそれぞれのパレットインデックスに基づいて、前記現在のピクセルのピクセルの前記ランのための前記パレットのパレットインデックスを決定するように構成される、請求項１２に記載のデバイス。
【請求項１７】
前記現在のピクセルの対角方向に位置する前記ピクセルが、前記走査順序が水平方向に左から右であることに基づいて前記現在のピクセルの右上に位置するピクセルを備え、前記現在のピクセルの対角方向に位置する前記ピクセルが、前記走査順序が水平方向に右から左であることに基づいて前記現在のピクセルの左上に位置するピクセルを備え、前記現在のピクセルの対角方向に位置する前記ピクセルが、前記走査順序が垂直方向に下から上であることに基づいて左下部に位置するピクセルを備え、または、前記現在のピクセルの対角方向に位置する前記ピクセルが、前記走査順序が垂直方向に上から下であることに基づいて左上部に位置するピクセルを備える、請求項１２に記載のデバイス。
【請求項１８】
前記ビデオコーダがビデオデコーダを備え、前記ビデオデコーダが、
前記現在のピクセルが前記ｃｏｐｙ  ａｂｏｖｅモードでパレットモードコーディングされるべきであることを示すシンタックス要素を受信し、
前記現在のピクセルが前記ｃｏｐｙ  ａｂｏｖｅモードでパレットモードコーディングされることが可能ではないと決定したことに応答して、および、前記現在のピクセルが前記ｃｏｐｙ  ａｂｏｖｅモードでパレットモードコーディングされるべきであることを示す前記シンタックス要素を受信したことに応答して、前記現在のピクセルの対角方向に位置する前記ピクセルのための前記パレットインデックスに基づいて、前記現在のピクセルのための前記パレットの前記パレットインデックスを決定し、
前記決定されたパレットインデックスに基づいて、前記現在のピクセルをパレットモード復号するように構成される、請求項１２に記載のデバイス。
【請求項１９】
前記ビデオコーダがビデオエンコーダを備え、前記ビデオエンコーダが、
前記現在のピクセルが前記ｃｏｐｙ  ａｂｏｖｅモードでパレットモードコーディングされるべきであることを示すシンタックス要素をシグナリングし、
前記決定されたパレットインデックスに基づいて、前記現在のピクセルをパレットモード符号化するように構成される、請求項１２に記載のデバイス。
【請求項２０】
前記現在のピクセルが第１のピクセルを備え、前記ビデオコーダが、
第２のピクセルが前記ｃｏｐｙ  ａｂｏｖｅモードでパレットモードコーディングされることが可能ではないと決定し、
前記走査順序に対して前記第２のピクセルの直交方向に位置する隣接ピクセル、および前記走査順序に対して前記第２のピクセルに沿って位置する隣接ピクセルと同じパレットインデックスを、前記第２のピクセルの対角方向に位置するピクセルのパレットインデックスが有すると決定し、
前記第２のピクセルが前記ｃｏｐｙ  ａｂｏｖｅモードでパレットモードコーディングされることが可能ではないと、および、前記走査順序に対して前記第２のピクセルの直交方向に位置する前記隣接ピクセル、および前記走査順序に対して前記第２のピクセルに沿って位置する前記隣接ピクセル、と同じパレットインデックスを、前記第２のピクセルの対角方向に位置する前記ピクセルの前記パレットインデックスが有すると、決定したことに応答して、デフォルトのパレットインデックスに基づいて、前記第２のピクセルのための前記パレットのパレットインデックスを決定し、
前記第２のピクセルのための前記決定されたパレットインデックスに基づいてパレット値を決定し、
前記決定されたパレット値に基づいて前記第２のピクセルをパレットモードコーディングするように構成される、請求項１２に記載のデバイス。
【請求項２１】
前記現在のピクセルが第１のピクセルを備え、前記ビデオコーダが、
第２のピクセルが前記ｃｏｐｙ  ａｂｏｖｅモードでパレットモードコーディングされることが可能ではないと決定し、
前記第２のピクセルがブロック境界に位置すると決定し、
前記第２のピクセルが、前記ｃｏｐｙ  ａｂｏｖｅモードでパレットモードコーディングされることが可能ではなく、前記ブロック境界に位置すると決定したことに応答して、デフォルトのパレットインデックスに基づいて前記第２のピクセルのための前記パレットのパレットインデックスを決定し、
前記第２のピクセルのための前記決定されたパレットインデックスに基づいてパレット値を決定し、
前記決定されたパレット値に基づいて前記第２のピクセルをパレットモードコーディングするように構成される、請求項１２に記載のデバイス。
【請求項２２】
前記ビデオコーダが、
前記現在のピクセルのための前記決定されたパレットインデックスに基づいて前記パレットのパレット値を決定するように構成され、
前記現在のピクセルをパレットモードコーディングするために、前記ビデオコーダが、前記決定されたパレット値に基づいて前記現在のピクセルをパレットモードコーディングするように構成される、請求項１２に記載のデバイス。
【請求項２３】
前記デバイスが、
集積回路（ＩＣ）、
マイクロプロセッサ、または
前記現在のピクセルを表示するためのディスプレイまたは前記現在のピクセルをキャプチャするためのカメラのうちの少なくとも１つを備えるワイヤレス通信デバイス
のうちの１つを備える、請求項１２に記載のデバイス。
【請求項２４】
ビデオコーディングのためのデバイスであって、
ビデオデータの現在のピクセルが、走査順序に対して前記現在のピクセルの直交方向に位置する隣接ピクセルのパレットインデックスを使用するｃｏｐｙ  ａｂｏｖｅモードでパレットモードコーディングされることが可能ではないと、決定するための手段と、
前記現在のピクセルが前記ｃｏｐｙ  ａｂｏｖｅモードでパレットモードコーディングされることが可能ではないと決定したことに応答して、前記現在のピクセルの対角方向に位置する前記ビデオデータのピクセルのためのパレットインデックスに基づいて、前記現在のピクセルのためのパレットのパレットインデックスを決定するための手段と、
前記決定されたパレットインデックスに基づいて、前記現在のピクセルをパレットモードコーディングするための手段と
を備える、デバイス。
【請求項２５】
前記現在のピクセルのランのそれぞれのピクセルの対角方向に位置するピクセルのそれぞれのパレットインデックスに基づいて、前記現在のピクセルのピクセルの前記ランのための前記パレットのパレットインデックスを決定するための手段をさらに備える、請求項２４に記載のデバイス。
【請求項２６】
前記現在のピクセルのランのそれぞれのピクセルの対角方向に位置しないピクセルのそれぞれのパレットインデックスに基づいて、前記現在のピクセルのピクセルの前記ランのための前記パレットのパレットインデックスを決定するための手段をさらに備える、請求項２４に記載のデバイス。
【請求項２７】
命令を記憶した非一時的コンピュータ可読記憶媒体であって、前記命令が、実行されると、ビデオコーディングのためのデバイスの１つまたは複数のプロセッサに、
ビデオデータの現在のピクセルが、走査順序に対して前記現在のピクセルの直交方向に位置する隣接ピクセルのパレットインデックスを使用するｃｏｐｙ  ａｂｏｖｅモードでパレットモードコーディングされることが可能ではないと、決定させ、
前記現在のピクセルが前記ｃｏｐｙ  ａｂｏｖｅモードでパレットモードコーディングされることが可能ではないと決定したことに応答して、前記現在のピクセルの対角方向に位置する前記ビデオデータのピクセルのためのパレットインデックスに基づいて、前記現在のピクセルのためのパレットのパレットインデックスを決定させ、
前記決定されたパレットインデックスに基づいて、前記現在のピクセルをパレットモードコーディングさせる、
非一時的コンピュータ可読記憶媒体。
【請求項２８】
１つまたは複数のプロセッサに、
前記現在のピクセルのランのそれぞれのピクセルの対角方向に位置するピクセルのそれぞれのパレットインデックスに基づいて、前記現在のピクセルのピクセルの前記ランのための前記パレットのパレットインデックスを決定させる命令をさらに備える、請求項２７に記載の非一時的コンピュータ可読記憶媒体。
【請求項２９】
１つまたは複数のプロセッサに、
前記現在のピクセルのランのそれぞれのピクセルの対角方向に位置しないピクセルのそれぞれのパレットインデックスに基づいて、前記現在のピクセルのピクセルの前記ランのための前記パレットのパレットインデックスを決定させる命令をさらに備える、請求項２７に記載の非一時的コンピュータ可読記憶媒体。